(57)【要約】【課題】ウエストナイルウイルス（ＷＮＶ）感染の鑑別方法であって、特に、ウエストナイルウイルス（ＷＮＶ）感染と日本脳炎ウイルス（ＪＥＶ）感染との鑑別方法を提供すること。【解決手段】本発明のウエストナイルウイルス（ＷＮＶ）感染の鑑別方法は、ＷＮＶタンパク質を特異的に認識し、かつ、日本脳炎ウイルス（ＪＥＶ）のタンパク質とは交差反応しない抗体を用いてＷＮＶ感染を鑑別する方法であって、好ましい態様の１つは、ＷＮＶの非構造タンパク質の１つであるＷＮＶ−ＮＳ１を特異的に認識する抗ＷＮＶ−ＮＳ１抗体を用いて、血清検体に含まれるＷＮＶ−ＮＳ１、および、血清検体に含まれる抗ＷＮＶ−ＮＳ１抗体の少なくとも一方を測定することを特徴とする。【選択図】図１
2008058194.tif 000002
【特許請求の範囲】
【請求項１】
ウエストナイルウイルス（ＷＮＶ）のタンパク質を特異的に認識し、かつ、日本脳炎ウイルス（ＪＥＶ）のタンパク質とは交差反応しない抗体を用いて、ＷＮＶ感染を鑑別する方法。
【請求項２】
ウエストナイルウイルス（ＷＮＶ）感染の鑑別方法であって、
ＷＮＶの非構造タンパク質の１つであるＷＮＶ−ＮＳ１を特異的に認識する抗ＷＮＶ−ＮＳ１抗体を用いて、血清検体に含まれるＷＮＶ−ＮＳ１、および、血清検体に含まれる抗ＷＮＶ−ＮＳ１抗体の少なくとも一方を測定することを特徴とする鑑別方法。
【請求項３】
ウエストナイルウイルス（ＷＮＶ）感染と日本脳炎ウイルス（ＪＥＶ）感染とを鑑別する、請求項１又は２記載の鑑別方法。
【請求項４】
鑑別に使用する抗ＷＮＶ−ＮＳ１抗体は、ＷＮＶ−ＮＳ１と結合し、ＪＥＶの非構造タンパク質ＪＥＶ−ＮＳ１とは実質的に結合しないモノクローナル抗体である、請求項３記載の鑑別方法。
【請求項５】
血清検体が、ウマまたはヒト、その他の哺乳類もしくは鳥類など動物由来の血清検体である、請求項１〜４のいずれか１項に記載の鑑別方法。
【請求項６】
請求項１〜５のいずれか１項に記載の鑑別方法を用いて、ウエストナイル脳炎などのＷＮＶ感染症に罹患しているかどうかを判定する方法。
【請求項７】
血清検体に含まれるＷＮＶ−ＮＳ１を測定する方法が、
（ａ１）ＷＮＶ−ＮＳ１を認識する抗体Ａを固相化する工程、
（ａ２）血清検体を添加して、これに含まれるＷＮＶ−ＮＳ１と抗体Ａとを反応させる工程、
（ａ３）ＷＮＶ−ＮＳ１を特異的に認識する抗ＷＮＶ−ＮＳ１抗体を添加して、抗体Ａに結合したＷＮＶ−ＮＳ１と抗ＷＮＶ−ＮＳ１抗体とを反応させる工程、
（ａ４）抗ＷＮＶ−ＮＳ１抗体を認識する標識化抗体を添加して、抗ＷＮＶ−ＮＳ１抗体と標識化抗体とを反応させる工程、および
（ａ５）抗ＷＮＶ−ＮＳ１抗体と標識化抗体との反応により形成された抗体複合体を検出することにより、血清検体に含まれるＷＮＶ−ＮＳ１を測定する工程
を含む、請求項１〜６のいずれか１項に記載の方法。
【請求項８】
血清検体に含まれる抗ＷＮＶ−ＮＳ１抗体の測定が、当該抗ＷＮＶ−ＮＳ１抗体によって、鑑別に使用する抗ＷＮＶ−ＮＳ１抗体とＷＮＶ−ＮＳ１との結合が阻害される割合（抗体結合阻害％）を算出する工程を含み、
抗体結合阻害％の算出方法が、
（ｂ１）ＷＮＶ−ＮＳ１を認識する抗体Ａを固相化する工程、
（ｂ２）ＷＮＶ−ＮＳ１含有液を添加して、当該ＷＮＶ−ＮＳ１抗原と抗体Ａとを反応させる工程、
（ｂ３）血清検体、または血清を含まない液（血清非含有液）を添加して、反応させる工程、
（ｂ４）ＷＮＶ−ＮＳ１を特異的に認識する抗ＷＮＶ−ＮＳ１抗体（抗体１）、または、ＷＮＶ−ＮＳ１を認識しない抗体（抗体２）を添加して、反応させる工程、
（ｂ５）抗体１および抗体２を認識する標識化抗体を添加して、抗体１または抗体２と標識化抗体とを反応させる工程、および、
（ｂ６）抗体１または抗体２と標識化抗体との反応により形成された抗体複合体を検出する工程、を含み、
上記（ｂ３）工程および（ｂ４）工程においてそれぞれ、血清検体と抗体１とを添加した際における検出値［Ａ］、血清検体と抗体２とを添加した際における検出値［Ｂ］、血清非含有液と抗体１とを添加した際における検出値［Ｃ］、血清非含有液と抗体２とを添加した際における検出値［Ｄ］を求め、これらの検出値を下記式に代入することによって抗体結合阻害％を算出する、請求項１〜６のいずれか１項に記載の方法。
抗体結合阻害％＝１００−［｛（Ａ−Ｂ）／（Ｃ−Ｄ）｝×１００］
【請求項９】
抗体結合阻害％が予め定めた基準値以上のときに、血清検体に含まれる抗ＷＮＶ−ＮＳ１抗体について陽性と判定する、請求項８記載の方法。
【請求項１０】
受領番号がFERM AP-21013であるハイブリドーマ（ＷＮ−２Ｈ４細胞）により産生されるモノクローナル抗体２Ｈ４を用いて鑑別を行う、請求項１〜９のいずれか１項に記載の方法。
【請求項１１】
受領番号がFERM AP-21013であるハイブリドーマ（ＷＮ−２Ｈ４細胞）により産生される、モノクローナル抗体。
【請求項１２】
受領番号がFERM AP-21013であるハイブリドーマ（ＷＮ−２Ｈ４細胞）。
【請求項１３】
請求項１〜１０のいずれか１項に記載の方法によって、ＷＮＶ感染を鑑別するための鑑別用試薬キット。
【発明の詳細な説明】
【技術分野】
【０００１】
本発明は、ウエストナイルウイルス感染の鑑別方法に関し、より詳細には、ウエストナイルウイルス感染と日本脳炎ウイルス感染とを鑑別する方法に関する。
【背景技術】
【０００２】
ウエストナイルウイルス（以下、「ＷＮＶ」という。）は、フラビウイルス属の＋鎖ＲＮＡウイルスであり、日本脳炎ウイルス（以下、「ＪＥＶ」という。）、マレー渓谷脳炎ウイルス、セントルイス脳炎ウイルスと共に日本脳炎血清グループに分類されている。ＷＮＶは、ヒトやウマに感染すると、発熱、髄膜炎、脳炎等を発症することが知られており、１９９９年には、米国に侵入して急速に流行域を拡大した（非特許文献１）。現在、日本国内においてＷＮＶ感染は確認されていないが、侵入が危惧されている。他方、同じフラビウイルス属であるＪＥＶは日本において土着しており、ヒトやウマはＪＥＶに対する免疫を有している。
【０００３】
今後、わが国へのＷＮＶの侵入が想定されることから、ＷＮＶ感染の鑑別方法の早期確立が求められている。しかし、ＷＮＶはＪＥＶと同属であることから、鑑別方法の確立には次のような問題がある。すなわち、ＷＮＶとＪＥＶは近縁であり、血清学的交差性が高いため、従来の中和試験や赤血球凝集抑制試験では、両者の感染を鑑別することが困難であるという問題である。より具体的に説明すれば、ほとんどの日本人はＪＥＶに対する免疫を有するため、ＷＮＶに感染すると、交差性の日本脳炎に対する抗体が二次免疫応答により高く上昇することが考えられる。このため、特異性が高いとされる中和試験においても、ＷＮＶに対する抗体レベルと同等となり、ＷＮＶ感染を証明することが困難な場合が予想される。
【０００４】
【非特許文献１】Clin Infect Dis 33: 1713-1719, 2001
【発明の開示】
【発明が解決しようとする課題】
【０００５】
そこで、本発明は、ウエストナイルウイルス（ＷＮＶ）感染の鑑別方法であって、より詳細には、ＷＮＶ感染とＪＥＶ感染とを鑑別する方法の提供を目的とする。
【課題を解決するための手段】
【０００６】
本発明のウエストナイルウイルス（ＷＮＶ）感染の鑑別方法は、ＷＮＶタンパク質を特異的に認識し、かつ、日本脳炎ウイルス（ＪＥＶ）のタンパク質とは交差反応しない抗体を用いてＷＮＶ感染を鑑別する方法であって、好ましい態様の１つは、ＷＮＶの非構造タンパク質の１つであるＷＮＶ−ＮＳ１を特異的に認識する抗ＷＮＶ−ＮＳ１抗体を用いて、血清検体に含まれるＷＮＶ−ＮＳ１、および、血清検体に含まれる抗ＷＮＶ−ＮＳ１抗体の少なくとも一方を測定することを特徴とする。
【０００７】
本発明において、「血清検体に含まれるＷＮＶ−ＮＳ１」とは、ＷＮＶ感染により生体の血中に放出された感染ＷＮＶ由来のＮＳ１を意味し、「血清検体に含まれる抗ＷＮＶ−ＮＳ１抗体」とは、ＷＮＶ感染により生体において誘導され、血中に存在する抗ＷＮＶ−ＮＳ１抗体を意味する。また、「ＷＮＶ−ＮＳ１を特異的に認識する抗ＷＮＶ−ＮＳ１抗体」とは、本発明の鑑別方法に使用される抗体をいい、後述の２Ｈ４抗体などが例示される。
【０００８】
ＷＮＶが属するフラビウイルスは、そのゲノムが３種の構造タンパク質(Ｃ、ｐｒＭおよびＥ)と７種の非構造タンパク質(ＮＳ１、ＮＳ２Ａ、ＮＳ２Ｂ、ＮＳ３、ＮＳ４Ａ、ＮＳ４ＢおよびＮＳ５)とをコードしている。このうち、非構造タンパク質の中でＮＳ１は、生体へのＷＮＶ感染によって血中に多く放出され、抗ＮＳ１抗体が誘導されやすいのではないかと考え、本発明者は、血清検体に含まれるＷＮＶ−ＮＳ１抗原もしくは抗ＷＮＶ−ＮＳ１抗体の検出・測定によって、ＷＮＶ感染を高精度に鑑別できることを見出した。
また、非構造タンパク質に着目することによって、将来ウエストナイル（ＷＮ）ワクチンが導入された場合にもＷＮＶ感染を高精度に鑑別・診断することが可能である。すなわち、ＷＮワクチンは精製不活化ワクチンであり、ワクチンの接種により生体内に誘導されるのは構造タンパク質に対する抗体のみである。一方、ＷＮＶに感染した場合には、ワクチン接種とは異なり、構造タンパク質に対する抗体に加えて非構造タンパク質に対する抗体も誘導される。このため、ワクチン接種では誘導されない非構造タンパク質に対する抗体を検出すれば、ワクチン接種された生体であるか、ＷＮＶ感染した生体であるかを鑑別することができる。
このことから、本発明の鑑別方法における、特に抗体を標的とした鑑別方法において、ＷＮＶタンパク質のうち特に非構造タンパク質（上記７種のいずれか）を特異的に認識する抗体を用いて、血清検体に含まれるＷＮＶ非構造タンパク質に対する抗体を測定する方法は、好ましい方法である。
【０００９】
抗ＮＳ１抗体を用いた本発明のＷＮＶ鑑別方法によれば、ＷＮＶ感染の有無を調べたい生体の血清検体について、ＷＮＶ−ＮＳ１を特異的に認識する抗ＷＮＶ−ＮＳ１抗体を使用することにより、血清検体に含まれるＷＮＶ−ＮＳ１抗原または抗ＷＮＶ−ＮＳ１抗体の有無と量を検出・測定できる。また、ＷＮＶ−ＮＳ１を特異的に認識する抗体を使用するため、同じフラビウイルス属であるＪＥＶ感染と区別してＷＮＶ感染を鑑別できる。前述のように、従来の中和試験等によると、検出結果が陽性であっても、ＷＮＶ陽性であるかＪＥＶ陽性であるかの判別が困難であり、ＪＥＶ感染による偽陽性の割合が多く生じることが予想される。しかし、本発明によれば、ＷＮＶ感染のみを鑑別できるため、わが国のようにＪＥＶが土着する場合でも、ＪＥＶの影響を受けることなくＷＮＶ感染の検出が可能である。また、血清中のＷＮＶ−ＮＳ１抗原と抗ＷＮＶ−ＮＳ１抗体の測定は、それぞれ急性期と回復期におけるＷＮＶ感染の診断や、ＷＮＶ侵入後のＷＮＶ浸潤状況の監視も可能となる。このため、本発明の鑑別方法は、ＷＮＶの侵入の有無に関する疫学調査に利用可能であり、その他検査・臨床分野において非常に有用な方法といえる。
本発明者はこれまでに、ＪＥＶ由来のＮＳ１（以下、「ＪＥＶ−ＮＳ１」という。）を標的として、抗ＪＥＶ−ＮＳ１抗体測定法によるＪＥＶ自然感染の検査方法を確立している（J Clin Microbiol 42: 5087-5093, 2004）。このＪＥＶ感染の検査方法と、本発明のＷＮＶ鑑別方法とを組み合わせることによって、ＷＮＶ感染とＪＥＶ感染との鑑別を更に精度良く行うことが可能である。
【発明を実施するための最良の形態】
【００１０】
本発明の鑑別方法の好ましい態様の１つは、前述のように、ＷＮＶ−ＮＳ１を特異的に認識する抗ＷＮＶ−ＮＳ１抗体を用いて、血清中のＷＮＶ−ＮＳ１または抗ＷＮＶ−ＮＳ１抗体を測定すればよく、その他の条件は何ら制限されない。
【００１１】
本発明の鑑別方法に使用される抗ＷＮＶ−ＮＳ１抗体について、その作製に使用する抗原、作製方法、性質等を以下に説明する。
【００１２】
（１）抗体作製用抗原
抗体作製のための抗原としては、例えば、ＷＮＶのＥｇ１０１株（Ｃｏｍｐｌｅｔｅ  ｇｅｎｏｍｅ：ＧｅｎｂａｎｋアクセッションＮｏ．ＡＦ２６０９６８）由来のＮＳ１の全長を使用してもよいし、その部分配列からなるペプチドを用いてもよい。
【００１３】
上記抗原は、例えば、（ａ）ＷＮＶを感染させた宿主の組織や細胞から調製する、（ｂ）ペプチドシンセサイザー等を使用する公知のペプチド合成方法で化学的に合成する、または、（ｃ）上記抗原をコードするＤＮＡを含有する形質転換体を培養する、こと等によって製造できる。
【００１４】
（ａ）上記抗原を、ＷＮＶを感染させた宿主の組織や細胞から調製する場合は、その組織や細胞をホモジナイズした後、酸またはアルコール等で抽出を行い、得られた抽出液を、例えば、塩析、透析、ゲル濾過、逆相クロマトグラフィー、イオン交換クロマトグラフィー、アフィニティークロマトグラフィー等のクロマトグラフィーを組み合わせて精製単離することによって調製できる。
【００１５】
（ｂ）上記抗原を化学的に合成する場合は、例えば、目的のアミノ酸配列からエピトープ領域と推定される１０〜２０個程度のアミノ酸配列を決定して、ペプチドを合成すればよい。エピトープ領域は、例えば、Kite & Doolittleの方法により親水性領域を予測すること等によって推定できる。
【００１６】
（ｃ）上記抗原をコードするＤＮＡを含有する形質転換体を用いて製造する場合、ＤＮＡは、公知のクローニング方法（例えば、Molecular Cloning（2nd ed.；J. Sambrook et al., Cold Spring Harbor Lab. Press, 1989）参照）に従って作製できる。
【００１７】
上記ペプチドの合成法としては、例えば、固相合成法、液相合成法のいずれでもよい。すなわち、目的のペプチドを構成し得る部分ペプチドまたはアミノ酸と残余部分とを縮合させ、生成物が保護基を有する場合には、保護基の脱離によって目的ペプチドを製造できる。縮合方法や保護基の脱離方法としては、例えば、（ｉ）M. Bodanszky & M.A. Ondetti、Peptide Synthesis, Interscience Publishers, New York (1966)、または、（ii）Schroeder & Luebke、The Peptide, Academic Press, New York (1965)等に記載されている公知の方法があげられる。
【００１８】
化学合成の反応後は、例えば、溶媒抽出、蒸留、カラムクロマトグラフィー、液体クロマトグラフィー、再結晶等の通常の精製法を組み合わせることにより、目的の抗原を精製単離できる。このような方法で得られるペプチドが遊離体である場合は、例えば、公知の方法によって適当な塩に変換でき、他方、ペプチドが塩である場合は、例えば、公知の方法によって遊離体に変換することもできる。
【００１９】
ペプチドのアミド体は、例えば、アミド形成に適した市販のペプチド合成用樹脂を使用することにより調製できる。前記樹脂としては、例えば、クロロメチル樹脂、ヒドロキシメチル樹脂、ベンズヒドリルアミン樹脂、アミノメチル樹脂、４−ベンジルオキシベンジルアルコール樹脂、４−メチルベンズヒドリルアミン樹脂、ＰＡＭ樹脂、４−ヒドロキシメチルメチルフェニルアセトアミドメチル樹脂、ポリアクリルアミド樹脂、４−（２'，４'−ジメトキシフェニル−ヒドロキシメチル）フェノキシ樹脂、４−（２'，４'−ジメトキシフェニル−Ｆｍｏｃアミノエチル）フェノキシ樹脂等があげられる。このような樹脂を用いて、α−アミノ基と側鎖官能基とを適当に保護したアミノ酸を、目的とするペプチドの配列通りに、公知の各種縮合方法に従って、前記樹脂上で縮合させる。そして、反応の最後に前記樹脂からペプチドを切り出すと同時に各種保護基を除去し、目的のペプチドを取得すればよい。もしくは、クロロトリチル樹脂、オキシム樹脂、４−ヒドロキシ安息香酸系樹脂等を用い、部分的に保護したペプチドを取り出し、さらに、常套手段で保護基を除去することによって目的のペプチドを得ることもできる。
【００２０】
保護されたアミノ酸の縮合に関しては、例えば、ペプチド合成に使用できる各種活性化試薬が用いられるが、中でもカルボジイミド類が好ましい。前記カルボジイミド類としては、例えば、ＤＣＣ、Ｎ，Ｎ'−ジイソプロピルカルボジイミド、Ｎ−エチル−Ｎ'−（３−ジメチルアミノプロリル）カルボジイミド等が例示される。各種活性化試薬による活性化には、ラセミ化抑制添加剤（例えば、ＨＯＢｔ、ＨＯＯＢｔなど）とともに保護されたアミノ酸を直接樹脂に添加するか、または、対称酸無水物またはＨＯＢｔエステルあるいはＨＯＯＢｔエステルとして予め保護されたアミノ酸の活性化を行った後、前記樹脂に添加してもよい。
【００２１】
保護されたアミノ酸の活性化や前記樹脂との縮合に使用する溶媒としては、例えば、ペプチド縮合反応に使用可能な溶媒から適宜選択できる。前記溶媒としては、例えば、Ｎ，Ｎ−ジメチルホルムアミド、Ｎ，Ｎ−ジメチルアセトアミド、Ｎ−メチルピロリドン等の酸アミド類、塩化メチレン、クロロホルム等のハロゲン化炭化水素類、トリフルオロエタノール等のアルコール類、ジメチルスルホキシド等のスルホキシド類、ピリジン等の三級アミン類、ジオキサン、テトラヒドロフラン等のエーテル類、アセトニトリル、プロピオニトリル等のニトリル類、酢酸メチル、酢酸エチル等のエステル類、または、これらの適当な混合物等が例示される。反応温度は、特に制限されず、ペプチド結合形成反応において一般に設定される温度範囲から適宜選択でき、例えば、約−２０℃〜約５０℃の範囲である。
【００２２】
活性化されたアミノ酸誘導体は、通常、約１.５倍〜約４倍の過剰量で使用される。縮合が不十分な場合には、保護基の脱離を行うことなく縮合反応を繰り返すことによって、十分な縮合を行うことができ、また、反応を繰り返しても十分な縮合が得られない場合には、例えば、無水酢酸またはアセチルイミダゾールを用いて未反応アミノ酸をアセチル化して、後の反応への影響を抑制することも可能である。
【００２３】
前記原料アミノ酸のアミノ基の保護基としては、例えば、Ｚ、Ｂｏｃ、ターシャリーペンチルオキシカルボニル、イソボルニルオキシカルボニル、４−メトキシベンジルオキシカルボニル、Ｃｌ−Ｚ、Ｂｒ−Ｚ、アダマンチルオキシカルボニル、トリフルオロアセチル、フタロイル、ホルミル、２−ニトロフェニルスルフェニル、ジフェニルホスフィノチオイル、Ｆｍｏｃ等があげられる。カルボキシル基の保護基としては、例えば、Ｃ１−６アルキル基、Ｃ３−８シクロアルキル基、Ｃ７−１４アラルキル基、２−アダマンチル、４−ニトロベンジル、４−メトキシベンジル、４−クロロベンジル、フェナシル基、ベンジルオキシカルボニルヒドラジド、ターシャリーブトキシカルボニルヒドラジド、トリチルヒドラジド等があげられる。
【００２４】
セリンおよびスレオニンの水酸基は、例えば、エステル化またはエーテル化によって保護できる。このエステル化に適した基としては、例えば、アセチル基等の低級（Ｃ１−６）アルカノイル基、ベンゾイル基等のアロイル基、ベンジルオキシカルボニル基、エトキシカルボニル基等の炭酸から誘導される基等が挙げられる。また、エーテル化に適する基としては、例えば、ベンジル基、テトラヒドロピラニル基、ターシャリーブチル基等があげられる。
【００２５】
チロシンのフェノール性水酸基の保護基としては、例えば、Ｂｚｌ、Ｃｌ−Ｂｚｌ、２−ニトロベンジル、Ｂｒ−Ｚ、ターシャリーブチル等があげられる。ヒスチジンのイミダゾールの保護基としては、Ｔｏｓ、４−メトキシ−２，３，６−トリメチルベンゼンスルホニル、ＤＮＰ、Ｂｏｍ、Ｂｕｍ、Ｂｏｃ、Ｔｒｔ、Ｆｍｏｃ等があげられる。
【００２６】
原料のカルボキシル基が活性化されたものとしては、例えば、対応する酸無水物、アジド、活性エステル［アルコール（例えば、ペンタクロロフェノール、２，４，５−トリクロロフェノール、２，４−ジニトロフェノール、シアノメチルアルコール、パラニトロフェノール、ＨＯＮＢ、Ｎ−ヒドロキシスクシミド、Ｎ−ヒドロキシフタルイミド、ＨＯＢｔ）とのエステル］等があげられる。原料のアミノ基が活性化されたものとしては、例えば、対応するリン酸アミドがあげられる。
【００２７】
保護基の除去方法（脱離方法）としては、例えば、Ｐｄ−炭素等の触媒存在下における水素気流中での接触還元、無水フッ化水素、メタンスルホン酸、トリフルオロメタンスルホン酸、トリフルオロ酢酸またはこれらの混合液等による酸処理や、ジイソプロピルエチルアミン、トリエチルアミン、ピペリジン、ピペラジン等による塩基処理、液体アンモニア中におけるナトリウムによる還元等もあげられる。
【００２８】
前記酸処理による脱離反応は、一般に、−２０℃〜４０℃の温度で行われるが、酸処理においては、アニソール、フェノール、チオアニソール、メタクレゾール、パラクレゾール、ジメチルスルフィド、１，４−ブタンジチオール、１，２−エタンジチオールのようなカチオン捕捉剤の添加が有効である。また、ヒスチジンのイミダゾール保護基として用いられる２，４−ジニトロフェニル基は、例えば、チオフェノール処理により除去され、トリプトファンのインドール保護基として用いられるホルミル基は、例えば、前記１，２−エタンジチオール、１，４−ブタンジチオール等の存在下における酸処理による脱保護の他に、希水酸化ナトリウム、希アンモニア等によるアルカリ処理でも除去できる。
【００２９】
原料の反応に関与すべきでない官能基の保護および保護基、ならびにその保護基の脱離、反応に関与する官能基の活性化等は、公知の基あるいは公知の手段から適当に選択できる。
【００３０】
ペプチドのアミド体を得る他の方法としては、まず、カルボキシル末端アミノ酸のα−カルボキシル基をアミド化した後、アミノ基側にペプチド鎖を所定の鎖長まで延ばす。そして、当該ペプチド鎖のＮ末端α−アミノ基の保護基のみを除いたペプチドと、Ｃ末端カルボキシル基の保護基のみを除いたペプチド（またはアミノ酸）とを製造し、この両ペプチドを前述の混合溶媒中で縮合させる方法があげられる。縮合反応の詳細については前述と同様である。縮合により得られた保護ペプチドを精製した後、前記方法で全ての保護基を除去することによって、所定の粗ペプチドを得ることができる。この粗ペプチドは、既知の各種精製手段を駆使して精製し、主要画分を凍結乾燥することで、所定のペプチドのアミド体を得ることができる。
【００３１】
ペプチドのエステル体を得るには、カルボキシ末端アミノ酸のα−カルボキシル基を所定のアルコール類と縮合してアミノ酸エステルとした後、ペプチドのアミド体と同様にして所定のペプチドのエステル体を得ることができる。
【００３２】
前記抗原は、例えば、不溶化したものを直接免疫に使用してもよいし、適当な担体に結合または吸着させた複合体として免疫に使用してもよい。前記担体（キャリアー）と抗原（ハプテン）との混合比は、担体に結合あるいは吸着させた抗原に対して抗体が効率よく反応できれば、如何なるものを如何なる比率で結合あるいは吸着させてもよい。例えば、ハプテンに対する抗体の作製にあたり常用されている高分子担体を、例えば、ハプテン１に対し０.１〜１００の割合（重量比）で使用することができる。このような高分子担体としては、天然の高分子担体や合成の高分子担体があげられる。天然の高分子担体としては、例えば、ウシ、ウサギ、ヒト等の哺乳動物の血清アルブミンや、例えば、ウシ、ウサギ等の哺乳動物のチログロブリン、例えば、ウシ、ウサギ、ヒト、ヒツジ等の哺乳動物のヘモグロビン、ＫＨＬヘモシアニン等が使用できる。
【００３３】
前記高分子担体としては、例えば、ポリアミノ酸類、ポリスチレン類、ポリアクリル類、ポリビニル類、ポリプロピレン類等の重合物、または、各種ラテックス等が使用できる。また、ハプテンとキャリアーとのカップリングには、種々の縮合剤を用いることができ、前記縮合剤としては、例えば、チロシン、ヒスチジン、トリプトファンを架橋するビスジアゾ化ベンジジン等のジアゾニウム化合物、アミノ基同士を架橋するグルタルアルデビト等のジアルデヒド化合物、トルエン−２,４−ジイソシアネート等のジイソシアネート化合物、チオール基同士を架橋するＮ,Ｎ'-ｏ-フェニレンジマレイミド等のジマレイミド化合物、アミノ基とチオール基を架橋するマレイミド活性エステル化合物、アミノ基とカルボキシル基とを架橋するカルボジイミド化合物等が用いられる。また、アミノ基同士を架橋する際にも、一方のアミノ基にジチオピリジル基を有する活性エステル試薬（例えば、ＳＰＤＰ等）を反応させた後、還元することによってチオール基を導入し、他方のアミノ基に、マレイミド活性エステル試薬によってマレイミド基を導入した後、両者を反応させてもよい。
【００３４】
（２）ポリクローナル抗体の作製
前記抗原は、それ自体を単独で、あるいは、担体や希釈剤と共に、各種動物の抗体産生が可能な部位に投与することによって、ポリクローナル抗体を作製できる。前記投与方法としては、例えば、腹腔内注入、静脈注入、皮下注射等があげられる。また、抗原の投与に際して抗体産生能を高めるため、完全フロイントアジュバントまたは不完全フロイントアジュバントを投与することもできる。
【００３５】
抗原の投与は、例えば、１回のみでも良いが、通常は、２〜６週毎に１回ずつ、計２〜１０回程度行われる。ポリクローナル抗体を作製する動物としては、例えば、サル、ウサギ、イヌ、モルモット、マウス、ラット、ヒツジ、ヤギ、ニワトリなどがあげられる。
【００３６】
血清における前記抗原に対する抗体の抗体価測定は、例えば、液相法（例えば、標識化した抗原と抗血清とを反応させた後、抗体に結合した標識剤の活性を測定する方法）、または、固相法（例えば、９６穴プレートの各ウェル内壁面に抗原を固着させておき、ここに適当に希釈した血清溶液を添加し、抗体を抗原に結合させた後、ウェル中の溶液を洗浄することで余分な抗体を除去し、ウェル内壁面に結合した抗体量を測定する方法）によって行われる。
【００３７】
ポリクローナル抗体の分離精製は、例えば、免疫グロブリンの分離精製法（例、塩析法、アルコール沈殿法、等電点沈殿法、電気泳動法、イオン交換体（例えば、ＤＥＡＥ）による吸脱着法、超遠心法、ゲルろ過法、抗原結合固相またはプロテインＡあるいはプロテインＧ等の活性吸着剤によって抗体のみを採取し、結合を解離させて抗体を得る特異的精製法など）に従って行われる。
【００３８】
（３）モノクローナル抗体の作製
モノクローナル抗体の作製は、特に制限されないが、例えば、前記抗原を免疫された複数の動物（例えば、マウス）から抗体価の認められた個体を選択し、最終免疫の２〜５日後に脾臓またはリンパ節を採取し、それらに含まれる抗体産生細胞を骨髄腫細胞と融合させることにより、目的のモノクローナル抗体を産生するハイブリドーマを調製できる。
【００３９】
前記融合は、従来公知の方法、例えば、ケーラーとミルスタインの方法（Nature、256巻、495頁、1975年）に従って行うことができる。融合促進剤としては、例えば、ポリエチレングリコール（ＰＥＧ）やセンダイウィルス等があげられ、好ましくはＰＥＧ等である。骨髄腫細胞としては、例えば、ＮＳ−１、Ｐ３Ｕ１、ＳＰ２／０、ＡＰ−１等があげられ、中でもＰ３Ｕ１が好ましく使用できる。抗体産生細胞（脾臓細胞またはリンパ節細胞）数と骨髄細胞数との比率は、通常、１：１〜２０：１程度であり、ＰＥＧ（好ましくは、ＰＥＧ１０００〜ＰＥＧ６０００）が１０〜８０％程度の濃度で添加され、通常、２０〜４０℃（好ましくは３０〜３７℃）で１〜１０分間のインキュベートにより効率よく細胞融合を行うことができる。
【００４０】
前記抗体産生ハイブリドーマのスクリーニングは、特に制限されず、従来公知の方法が採用できる。具体例としては、まず、前記抗原またはそれらの部分ペプチドを直接または担体とともに吸着させた固相（例えば、マイクロプレート）に対し、ハイブリドーマ培養上清を添加する。続いて、放射性物質や酵素等で標識した抗免疫グロブリン抗体（例えば、細胞融合に用いられる細胞がマウスの場合、抗マウス免疫グロブリン抗体が好ましい）またはプロテインＡを加え、前記固相に結合した目的のモノクローナル抗体を検出する方法がある。この他にも、例えば、抗免疫グロブリン抗体またはプロテインＡを吸着させた固相にハイブリドーマ培養上清を添加し、さらに放射性物質や酵素等で標識した抗原を加え、前記固相に結合したモノクローナル抗体を検出する方法もあげられる。
【００４１】
モノクローナル抗体のスクリーニングならびに培養は、通常、ＨＡＴ（ヒポキサンチン、アミノプテリン、チミジン）を添加した、１０〜２０％牛胎児血清を含む動物細胞用培地（例えば、ＲＰＭＩ１６４０）で行われる。ハイブリドーマ培養上清の抗体価は、前述の抗血清中の目的抗体の抗体価の測定と同様にして求めることができる。前記抗原に対するモノクローナル抗体の分離精製は、例えば、前述のポリクローナル抗体の分離精製と同様に行うことができる。以上のように、ハイブリドーマ細胞を動物の生体内または生体外で培養し、その体液または培養物から抗体を採取することによって、目的の抗体を製造することができる。
【００４２】
このようにして調製する本発明の抗ＷＮＶ−ＮＳ１抗体は、ＷＮＶ−ＮＳ１に特異的に反応し、ＪＥＶ−ＮＳ１に反応しない抗体であることが好ましい。なお、ＪＥＶ−ＮＳ１に対しては、例えば、実質的に反応しない程度であればよく、ＷＮＶの鑑別に影響を与えない範囲、非特異的反応による影響を補正できる範囲等であれば若干の反応が見られてもよい。
【００４３】
次に、本発明のＷＮＶ鑑別方法について説明する。本発明のＷＮＶ鑑別方法は、前述のように、ＷＮＶ−ＮＳ１を特異的に認識する抗体を用いて、血清検体に含まれるＷＮＶ−ＮＳ１を測定する第一の方法と、血清検体に含まれる抗ＷＮＶ−ＮＳ１抗体を測定する第二の方法とがある。これらの方法の一例について以下に説明する。
【００４４】
（１）第一のＷＮＶ鑑別方法
本発明の第一のＷＮＶ鑑別方法において、血清検体に含まれるＷＮＶ−ＮＳ１の測定方法は、ＷＮＶ−ＮＳ１を特異的に認識する抗体を使用すればよく、その他の条件や工程等は特に制限されない。ＷＮＶ−ＮＳ１を特異的に認識する抗体としては、前述の２Ｈ４抗体などがあげられ、例えば、その抗体分子そのものを使用してもよいし、抗体分子のＦ（ａｂ’）２、Ｆａｂ’またはＦａｂ画分等を用いてもよい。
【００４５】
測定方法の具体例としては、抗原抗体反応を利用した方法があげられる。例えば、ＷＮＶ−ＮＳ１を特異的に認識する抗ＷＮＶ−ＮＳ１抗体を血清検体に添加すると、血清検体中のＷＮＶ−ＮＳ１と抗ＷＮＶ−ＮＳ１抗体との抗原抗体反応によって抗原抗体複合体が形成される。この抗原抗体複合体の量は、血清検体中のＷＮＶ−ＮＳ１量に相当するため、抗原抗体複合体の有無または量を検出することによって、血清中のＷＮＶ−ＮＳ１の有無または量を検出できる。抗原抗体複合体の検出（定性・定量）は、例えば、酵素免疫測定法（例えば、ＥＬＩＳＡ）、放射線免疫測定法、ラテックス凝集法、金コロイド粒子法等の免疫学的方法が採用できる。
【００４６】
また、血清検体中のＷＮＶ−ＮＳ１抗原の測定には、例えば、従来公知のサンドイッチ法、競合法等が利用できる。サンドイッチ法の場合は、例えば、
（ａ１）ＷＮＶ−ＮＳ１を認識する抗体Ａを固相化する、
（ａ２）血清検体を添加して、これに含まれるＷＮＶ−ＮＳ１と抗体Ａとを反応させる、
（ａ３）ＷＮＶ−ＮＳ１を特異的に認識する抗ＷＮＶ−ＮＳ１抗体を添加して、抗体Ａに結合したＷＮＶ−ＮＳ１と抗ＷＮＶ−ＮＳ１抗体とを反応させる、
（ａ４）抗ＷＮＶ−ＮＳ１抗体を認識する標識化抗体を添加して、抗ＷＮＶ−ＮＳ１抗体と標識化抗体とを反応させる、そして
（ａ５）抗ＷＮＶ−ＮＳ１抗体と標識化抗体との反応により形成された抗体複合体を、標識化抗体を利用して検出することにより、血清検体に含まれるＷＮＶ−ＮＳ１を測定すればよい。
【００４７】
検出方法としては、特に制限されないが、例えば、酵素、放射性同位元素、蛍光物質、発光物質等が用いられる。具体例としては、特に制限されないが、酵素としては、安定で比活性の大きなものが好ましく、例えば、β−ガラクトシダーゼ、β−グルコシダーゼ、アルカリホスファターゼ、パーオキシダーゼ、リンゴ酸脱水素酵素等があげられ、放射性同位元素としては、例えば、125Ｉ、131Ｉ、3Ｈ、14Ｃ等、蛍光物質としては、例えば、フルオレスカミン、フルオレッセンイソチオシアネート等、発光物質としては、例えば、ルミノール、ルミノール誘導体、ルシフェリン、ルシゲニン等があげられる。さらに、抗体と標識物質との結合には、例えば、ビオチン−アビジン系の化合物を用いることができる。前記抗原抗体複合体の検出は、前述のように、例えば、前記複合体が有する標識の検出によって行うことができるが、その条件や方法は、何ら制限されず、使用する標識の種類に応じて従来公知の方法（例えば、吸光度測定、反射率測定、蛍光強度測定、発光量測定等）で行うことができる。
【００４８】
本発明の第一のＷＮＶ鑑別方法について、ＥＬＩＳＡを利用した具体例を以下に示すが、本発明はこれらの例には限定されない。
【００４９】
まず、９６穴マイクロプレートにＷＮＶ−ＮＳ１を認識する抗体Ａを固相化する。抗体Ａは、血清検体中のＷＮＶ−ＮＳ１と結合できるものであればよい。すなわち、ＷＮＶ−ＮＳ１を認識できればよいことから、例えば、前述のようにして調製したモノクローナル抗体やポリクローナル抗体を使用してもよいし、ＷＮＶ−ＮＳ１で過剰免疫した動物（例えば、ウサギ等）の血清をそのまま使用することもできる。
【００５０】
次に、この固相化プレートに検出対象の血清検体を添加して、固相化した抗体Ａと血清検体中のＷＮＶ−ＮＳ１抗原とを反応させる。この反応によって、抗体ＡにＷＮＶ−ＮＳ１抗原が結合して、抗原抗体複合体が形成される。この反応条件は、特に制限されないが、例えば、温度３７℃で２時間、温度４℃で１２〜１６時間である。なお、以後の抗原抗体反応も同様の条件で行うことができる。
【００５１】
血清検体は、血清成分による検出阻害を避けるため、予め希釈してから添加することが好ましい。血清検体の希釈度は、特に制限されないが、血清（Ｅ）と血清検体全量（Ｆ）との体積比（Ｅ：Ｆ）が、例えば、１：２〜１：５であり、好ましくは１：２である。希釈溶媒の種類は、特に制限されず、例えば、水、生理食塩水、緩衝液、緩衝生理食塩水（例えば、リン酸緩衝生理食塩水）等が使用できる。この希釈溶媒は、さらに、Ｔｗｅｅｎ（商品名）等の界面活性剤、ウシ血清アルブミン等のアルブミンを含有してもよい。
【００５２】
続いて、前記固相化プレートに、ＷＮＶ−ＮＳ１を特異的に認識する抗ＷＮＶ−ＮＳ１抗体を添加して、ＷＮＶ−ＮＳ１抗原と反応させる。
【００５３】
さらに、標識化抗体を添加して、上記抗ＷＮＶ−ＮＳ１抗体と結合させる。この標識化抗体としては、抗ＷＮＶ−ＮＳ１抗体と結合できればよいことから、例えば、免疫学的手法において広く使用されている従来公知のＩｇＧ抗体等があげられる。
【００５４】
最後に、抗ＷＮＶ−ＮＳ１抗体と標識化抗体との複合体を検出することにより、血清中のＷＮＶ−ＮＳ１を測定できる。本発明の第一のＷＮＶ鑑別方法によるＷＮＶ−ＮＳ１の検出限界は、特に制限されず、種々の条件設定により変更できるが、例えば、２ｎｇ／ｍｌである。
【００５５】
（２）第二のＷＮＶ鑑別方法
本発明の第二のＷＮＶ鑑別方法において、血清検体に含まれる抗ＷＮＶ−ＮＳ１抗体の測定方法は、ＷＮＶ−ＮＳ１を特異的に認識する抗体を使用すればよく、その他の条件や工程等は特に制限されない。
【００５６】
第二のＷＮＶ鑑別方法では、血清中の抗ＷＮＶ−ＮＳ１抗体の測定によりＷＮＶ感染を鑑別するが、血清中の抗ＷＮＶ−ＮＳ１抗体は、例えば下記の抗体結合阻害％に基づき、測定することができる。すなわち、血清検体に含まれる抗ＷＮＶ−ＮＳ１抗体によって、鑑別に使用する（２Ｈ４などの）抗ＷＮＶ−ＮＳ１抗体と、ＷＮＶ−ＮＳ１抗原との結合が阻害される割合（抗体結合阻害％）を算出し、この割合から血清中の抗ＷＮＶ−ＮＳ１抗体を測定することが可能である。抗体結合阻害％が大きい程、血清検体に相対的に多くの抗ＷＮＶ−ＮＳ１抗体が含有されていると判断できる。
【００５７】
この抗体結合阻害％の算出方法としては、特に制限されないが、例えば、
（ｂ１）ＷＮＶ−ＮＳ１を認識する抗体Ａを固相化する工程、
（ｂ２）ＷＮＶ−ＮＳ１含有液を添加して、当該ＷＮＶ−ＮＳ１抗原と抗体Ａとを反応させる工程、
（ｂ３）血清検体、または血清を含まない液（血清非含有液）を添加して、反応させる工程、
（ｂ４）ＷＮＶ−ＮＳ１を特異的に認識する抗ＷＮＶ−ＮＳ１抗体（抗体１）、または、ＷＮＶ−ＮＳ１を認識しない抗体（抗体２）を添加して、反応させる工程、
（ｂ５）抗体１および抗体２を認識する標識化抗体を添加して、抗体１または抗体２と標識化抗体とを反応させる工程、および、
（ｂ６）抗体１または抗体２と標識化抗体との反応により形成された抗体複合体を検出する工程、を含み、
下記の表１に示すように、上記（ｂ３）工程および（ｂ４）工程においてそれぞれ、血清検体と抗体１とを添加した際における検出値［Ａ］、血清検体と抗体２とを添加した際における検出値［Ｂ］、血清非含有液と抗体１とを添加した際における検出値［Ｃ］、血清非含有液と抗体２とを添加した際における検出値［Ｄ］を求め、これらの検出値を下記式に代入することによって抗体結合阻害％を算出すればよい。
抗体結合阻害％＝１００−［｛（Ａ−Ｂ）／（Ｃ−Ｄ）｝×１００］
【００５８】
【表１】
2008058194.tif 000003
【００５９】
このように、ＷＮＶ−ＮＳ１を認識しない抗体（抗体２）を添加する系についても検出値を求め、上記式に代入すれば、抗原に対する非特異性反応が生じても補正されるため、より精度良く抗体結合阻害％を算出することができる。
【００６０】
以下に、本発明の第二のＷＮＶ鑑別方法について、ＥＬＩＳＡを利用した具体例を示すが、特に言及しない点については、第一のＷＮＶ鑑別方法と同様に行うことができる。
【００６１】
まず、抗体Ａを固相化した９６穴マイクロプレートに、ＷＮＶ−ＮＳ１含有液を添加して、当該ＷＮＶ−ＮＳ１抗原と抗体Ａとを反応させる。後の工程において、このＷＮＶ−ＮＳ１抗原に対する抗体結合阻害％を算出することから、既知量のＷＮＶ−ＮＳ１抗原を添加することが好ましい。プレートに添加するＷＮＶ−ＮＳ１抗原の濃度は、特に制限されないが、例えば、１０〜５００ｎｇ／ｍｌが好ましく、より好ましくは５０〜２００ｎｇ／ｍｌであり、特に好ましくは１００ｎｇ／ｍｌである。
【００６２】
次に、この固相化プレートに鑑別対象の血清検体を添加して、ＷＮＶ−ＮＳ１抗原と、血清検体中の抗ＷＮＶ−ＮＳ１抗体とを反応させる。血清検体は、予め希釈してプレートに添加することが好ましい。希釈度は、特に制限されないが、血清（Ｅ）と血清検体全量（Ｆ）との体積比（Ｅ：Ｆ）が、例えば、１：２〜１：１００であり、好ましくは１：２〜１：２０であり、より好ましくは１：５である。
【００６３】
この後は、前記第一のＷＮＶ鑑別方法と同様に、ＷＮＶ−ＮＳ１を特異的に認識する抗体（抗体１）、標識化抗体を順次反応させ、抗体複合体を検出し、抗体結合阻害％を求めればよい。第二のＷＮＶ鑑別方法においては、前述の式に基づき抗体結合阻害％を求めた場合、予め定めた基準値（例えば、２７．６％）以上を抗ＷＮＶ−ＮＳ１抗体陽性と判断することができる。また、予め、抗体結合阻害％と抗ＷＮＶ−ＮＳ１抗体との相対関係を示す検量線を作成しておくことにより、抗体結合阻害％から血清中の抗ＷＮＶ−ＮＳ１抗体の量を求めることも可能である。
【００６４】
なお、本発明の鑑別方法は、上述の方法に限定されるものではない。たとえば、上記第二のＷＮＶ鑑別方法においては、抗体Ａを使用してＷＮＶ−ＮＳ１を捕捉しているが、抗体Ａを使用しなくても、精製ＷＮＶ−ＮＳ１を使用することによってＷＮＶとＪＥＶとを鑑別することができる。また、上記第一のＷＮＶ鑑別方法においても、第二のＷＮＶ鑑別方法と同様に、非特異的反応の影響をＩｇＧなどで測定することにより取り除くことが好ましい。
【００６５】
本発明の鑑別用試薬キットは、これまで述べた本発明の鑑別方法に用いられる抗体を含むものであればよく、ほかは特に限定されるものではない。前記２Ｈ４抗体は、独立行政法人  産業技術総合研究所  特許生物寄託センターに寄託されているハイブリドーマ（受領番号FERM AP-21013のＷＮ−２Ｈ４細胞）により産生されるモノクローナル抗体であり、この抗体を用いてＷＮＶ感染を鑑別できるが、勿論、ＷＮＶ蛋白を特異的に認識し、ＪＥＶ蛋白とは交差反応しない他の抗体を用いて、ＷＮＶ感染の鑑別を行ってもよい。
【実施例】
【００６６】
次に、本発明の実施例について、比較例と併せて説明する。ただし、本発明は下記の実施例および比較例によって何ら制限されるものではない。また、特に記載しない限り、「％」は、ｗ/ｖ％である。
【００６７】
１．材料と方法
＜抗体の作製＞
２Ｈ４抗体
以下の方法により、ＷＮＶ−ＮＳ１に対する抗ＷＮＶ−ＮＳ１モノクローナル抗体（ＭＡｂ）２Ｈ４を作製した。なお、２Ｈ４は、本発明の鑑別に使用され、ＷＮＶ−ＮＳ１を特異的に認識する抗ＷＮＶ−ＮＳ１抗体の一例である。
使用した抗原は、ＷＮＶのＥｇ１０１株（Ｃｏｍｐｌｅｔｅ  ｇｅｎｏｍｅ：ＧｅｎｂａｎｋアクセッションＮｏ．ＡＦ２６０９６８）由来の精製ＷＮＶ−ＮＳ１である。
作製方法は、以下のとおりである。
ステップ１：  ＷＮＶのＥｇ１０１株をＶｅｒｏ細胞に感染させ、感染培養液を回収。
ステップ２：  ＷＮＶ感染培養液を下記６Ｈ４抗体を用いて免疫沈降し、精製ＷＮＶ−ＮＳ１を得る。
ステップ３：  精製ＷＮＶ−ＮＳ１をマウスに免疫。
ステップ４：  ケーラーとミルスタインの方法に従い、モノクローナル抗体２Ｈ４を産生するハイブリドーマ（受領番号FERM AP-21013のＷＮ−２Ｈ４細胞）を作製。
【００６８】
２Ｄ５抗体
文献（J Clin Microbiol 42: 5087-5093, 2004）に記載の、ＪＥＶ−ＮＳ１に対するモノクローナル抗体２Ｄ５（抗ＪＥＶ−ＮＳ１ ＭＡｂ）を使用した。
【００６９】
６Ｈ４抗体
以下の方法により、ＪＥＶ−ＮＳ１に対するモノクローナル抗体であり且つＷＮＶ−ＮＳ１に交差反応性を示す６Ｈ４を作製した。
使用した抗原は、ＪＥＶの中山株（ＧｅｎｂａｎｋアクセッションＮｏ．Ｍ１６５７４）由来の精製ＪＥＶ−ＮＳ１である。
作製方法は、以下のとおりである。
ステップ１：  ＪＥＶの中山株をＶｅｒｏ細胞に感染させ、感染培養液を回収。
ステップ２：  ＪＥＶ感染培養液を上記２Ｄ５抗体を用いて免疫沈降し、精製ＪＥＶ−ＮＳ１を得る。
ステップ３：  精製ＪＥＶ−ＮＳ１をマウスに免疫。
ステップ４：  ケーラーとミルスタインの方法に従い、モノクローナル抗体を作製。
【００７０】
ウサギ抗ＷＮＶ−ＮＳ１過剰免疫血清の調製
ステップ１：  ＷＮＶのＥｇ１０１株をＶｅｒｏ細胞に感染させ、感染培養液を回収。
ステップ２：  ＷＮＶ感染培養液を０．１％トリトンX-100処理の後、６Ｈ４を用いて免疫沈降によりＷＮＶ−ＮＳ１を精製。
ステップ３：  精製ＷＮＶ−ＮＳ１をウサギに３回免疫。
ステップ４：  抗体価が十分に上昇した時点で、ウサギから採血し、血清を分離。
【００７１】
＜細胞の培養＞
Ｖｅｒｏ細胞は、１０％ウシ胎児血清（ＦＢＳ）添加イーグル最少必須培地（ＭＥＭ）で培養した。ＮＳ１発現細胞（２Ｇ２細胞）とＮＳ１／ＮＳ２Ａ発現細胞（２Ｇ１２細胞）は、０．１ｍＭ非不可欠アミノ酸および４００μｇ／ｍｌアミノグリコシド系抗生物質（商品名Ｇ４１８）を含有する１０％ＦＢＳ添加ＭＥＭを用いて、選択的に培養を行った。いずれの細胞も培養温度は３７℃とした。２Ｇ１２細胞から得られた培養液は、血液検体に含まれる抗ＷＮＶ−ＮＳ１抗体を測定対象とするＥＬＩＳＡ（抗ＷＮＶ−ＮＳ１抗体測定ＥＬＩＳＡ）において、抗原検体として使用した。
【００７２】
上記ＮＳ１発現細胞およびＮＳ１／ＮＳ２Ａ発現細胞は、それぞれＷＮＶ−ＮＳ１を発現する形質転換細胞と、ＷＮＶ−ＮＳ１およびＷＮＶ−ＮＳ２Ａを発現する形質転換細胞であり、以下のようにして作製した。
ステップ１：  ＷＮＶのＥｇ１０１株をＶｅｒｏ細胞に感染させ、ＷＮＶ感染培養液を回収。
ステップ２：  ＷＮＶ感染培養液からＷＮＶのＲＮＡを抽出。
ステップ３：  ＲＴ−ＰＣＲにより、ｃＤＮＡを作製。
ステップ４：  ＰＣＲにより目的配列部分を増幅。
ステップ５：  ＷＮＶの目的配列とベクターにより、プラスミドを作製。
ステップ６：  ＣＨＯ細胞にプラスミドをトランスフェクションし、薬剤選択及び限界希釈法により、ＮＳ１及びＮＳ１／ＮＳ２Ａ連続発現細胞株を作製。
【００７３】
＜Ｖｅｒｏ細胞への感染＞
Ｖｅｒｏ細胞に、ＪＥＶ中山株またはＷＮＶ Ｅｇ１０１株を接種して１時間吸着させた後、０．０７５％ウシ血清アルブミン（ＢＳＡ）添加ＭＥＭで２４〜７２時間培養した（以下、それぞれ「ＪＥＶ感染細胞」、「ＷＮＶ感染細胞」という）。これらの培養液は、ＷＮＶ−ＮＳ１抗原を測定対象とするＥＬＩＳＡ（ＷＮＶ−ＮＳ１抗原測定ＥＬＩＳＡ）において、抗原検体として使用した。
【００７４】
＜ウマ血清＞
ＷＮＶ−ＮＳ１抗原測定ＥＬＩＳＡ
北海道日高地方の日本脳炎ワクチン未接種１歳馬の血清３０検体およびプール血清を使用した。
抗ＷＮＶ−ＮＳ１抗体測定ＥＬＩＳＡ
抗ＷＮＶ−ＮＳ１抗体陰性の検体として、抗ＪＥＶ−ＮＳ１抗体陰性の初乳未摂取馬の血清８検体、北海道日高地方の日本脳炎ワクチン未接種１歳馬の血清２０検体、北海道日高地方の日本脳炎ワクチン接種１歳馬の血清２０検体、文献（J Clin Microbiol 42: 5087-5093, 2004）に記載のＥＬＩＳＡ値が０．１２２以下であるウマ血清２０検体および抗ＪＥＶ−ＮＳ１抗体陽性の自然感染馬の血清３５検体を使用した。他方、抗ＷＮＶ−ＮＳ１抗体陽性の検体として、ＷＮＶ実験感染馬の血清２検体を使用した。これらの血清は日本中央競馬会競走馬総合研究所から分与された。
【００７５】
＜ＥＬＩＳＡ＞
ＷＮＶ−ＮＳ１抗原測定ＥＬＩＳＡ
まず、文献（Vaccine 21: 3713-3720, 2003）記載の方法に準じ、９６穴マイクロプレートをウサギ抗ＷＮＶ−ＮＳ１過剰免疫血清で感作することにより、ＷＮＶ−ＮＳ１を認識する抗体（抗体Ａ）をウェルに固相化した。
一方、ＷＮＶ感染培養液とウマ血清とを混合したＷＮＶ感染モデル血清、または、ＪＥＶ感染培養液とウマ血清とを混合したＪＥＶ感染モデル血清を、０．０５％Ｔｗｅｅｎ２０（商品名）と１％ＢＳＡとを含有するリン酸緩衝生理食塩水（以下、「ＥＬＩＳＡ希釈液」という。）で２倍に希釈した。この血清希釈液を前記ウェルに添加して、３７℃で１時間反応させた。続いて、前記ウェルに、２Ｈ４抗体およびアルカリホスファターゼ（ＡＰ）標識抗マウスＩｇＧ抗体（標識化抗体）を順次加えて、それぞれ３７℃で１時間反応させた後、基質液（０．１％パラニトロフェニルリン酸液）を加えて反応させ、その後４１５ｎｍの吸光度を測定した。また、非特異反応の影響を除外するため、並行して、２Ｈ４に代えて、所定の割合（抗体１：ＥＬＩＳＡ希釈液＝１：１２３）に希釈した精製ＩｇＧ１（ＢＥＴＨＹＬ社、以下同様）を使用した以外は、同様にして反応ならびに吸光度測定を行い、２Ｈ４による吸光度と精製ＩｇＧ１による吸光度との差を特異的反応とした。
【００７６】
抗ＷＮＶ−ＮＳ１抗体測定ＥＬＩＳＡ
前述と同様に、９６穴マイクロプレートをウサギ抗ＷＮＶ−ＮＳ１過剰免疫血清で感作することにより、ＷＮＶ−ＮＳ１を認識する抗体（抗体Ａ）をウェルに固相化した。
一方、ＮＳ１／ＮＳ２Ａ発現細胞（２Ｇ１２細胞）を前述の方法で培養し、この培養液に含まれるＮＳ１抗原量が１００ｎｇ／ｍｌとなるようにＥＬＩＳＡ希釈液で希釈し、この希釈培養液を前記ウェルに添加して、３７℃で１時間反応させた。
そして、ウマ血清とＥＬＩＳＡ希釈液とを体積比１：５で混合し、この血清希釈液（または血清を含まないＥＬＩＳＡ希釈液）を前記ウェルに加えて３７℃で１時間反応させた後は、前述のＷＮＶ−ＮＳ１抗原測定ＥＬＩＳＡと同様にして、順次、２Ｈ４（または精製ＩｇＧ１）、ＡＰ標識抗マウスＩｇＧ抗体、基質液を加えて反応させ、４１５ｎｍの吸光度を測定した。このように反応系として、ウマ血清検体と２Ｈ４を添加した系、ウマ血清検体と精製ＩｇＧ１を添加した系、ＥＬＩＳＡ希釈液と２Ｈ４を添加した系、ＥＬＩＳＡ希釈液と精製ＩｇＧ１を添加した系のそれぞれについて吸光度を測定した。そして、これらの結果を下記式に代入してモノクローナル抗体（ＭＡｂ）結合阻害％を求めた。ＭＡｂ結合阻害％は、その値が大きい程、ウマ血清検体に含まれる抗ＷＮＶ−ＮＳ１抗体の含有量が大きいと判断できる。
ＭＡｂ結合阻害％＝１００−［｛（Ａ−Ｂ）／（Ｃ−Ｄ）｝×１００］
Ａ：ウマ血清と２Ｈ４を添加した系の吸光度
Ｂ：ウマ血清とＩｇＧ１を添加した系の吸光度
Ｃ：ＥＬＩＳＡ希釈液と２Ｈ４を添加した系の吸光度
Ｄ：ＥＬＩＳＡ希釈液とＩｇＧ１を添加した系の吸光度
【００７７】
＜免疫沈降＞
培養液中の抗原（ＮＳ１抗原）を精製するために、プロテインＡアガロースビーズ（Ｉｎｖｉｔｒｏｇｅｎ社）を用いて免疫沈降を行い、サンプルバッファー（０．０５Ｍトリス塩酸緩衝液（ｐＨ８．６）、２％ドデシル硫酸ナトリウム、２ｍＭエチレンジアミンテトラ酢酸、１５％グリセロール、０．０１％ブロムフェノールブルー）で溶出した。前記２Ｄ５（抗ＪＥＶ−ＮＳ１ ＭＡｂ）、６Ｈ４（ＷＮＶ−ＮＳ１に交差反応性を持つ抗ＪＥＶ−ＮＳ１ ＭＡｂ）、２Ｈ４を用いてＪＥＶ感染培養液およびＷＮＶ感染培養液を免疫沈降した。２Ｇ１２細胞培養液は２Ｈ４および６Ｈ４を用いて免疫沈降を行った。
【００７８】
＜銀染色＞
免疫沈降において沈降させたタンパク質（ＮＳ１抗原）を１００℃で２分加熱し、８．０％ポリアクリルアミドゲルを用いて１５０Ｖで７０分電気泳動し、Ｓｉｌｖｅｒ Ｓｔａｉｎｉｎｇ Ｋｉｔ（商品名、Ｐｈａｒｍａｃｉａ Ｂｉｏｔｅｃｈ社）を用いて銀染色を行った。
【００７９】
＜統計＞
吸光度およびＭＡｂ結合阻害％の比較は、スチューデントのｔ検定により行った。
【００８０】
２．結果
（１）２Ｈ４抗体の性質解析
（１−１）ＥＬＩＳＡによる各種抗体の性質解析
抗原に対する２Ｈ４抗体（抗ＷＮＶ−ＮＳ１ ＭＡｂ）ほか各種抗体の反応性（特異性）を解析した。具体的には、ウサギ抗ＷＮＶ−ＮＳ１過剰免疫血清を９６穴プレートに感作し、ＷＮＶ感染培養液１００ｎｇ／ｍｌを反応させた後、ＥＬＩＳＡ希釈液で希釈した各種抗体（１：１０から１：１０7）を反応させた。その後、標識抗体とパラニトルフェニルリン酸を順次反応させ、吸光度を測定した。同様に、ウサギ抗ＪＥＶ−ＮＳ１過剰免疫血清とＪＥＶ感染培養液を用いて各種抗体の性質を解析した。
【００８１】
この結果を、図１に示す。同図は、各種モノクローナル抗体（ＭＡｂ）の希釈度と吸光度との関係を示すグラフである。同図において、（●）はＷＮＶ−ＮＳ１を用いた結果であり、（○）はＪＥＶ−ＮＳ１を用いた結果であり、左図は２Ｈ４、中央は２Ｄ５、右図は６Ｈ４の結果を示すプロットである。この結果、同図に示すように、２Ｈ４は、他の抗体と比較して、ＷＮＶ−ＮＳ１に特異的に反応し、且つ、ＪＥＶ−ＮＳ１には実質的に反応しなかった。
【００８２】
（１−２）免疫沈降・銀染色
さらに、２Ｈ４がＷＮＶ-ＮＳ１に特異的に反応することを確認するために、前記方法により感染培養液を免疫沈降し、電気泳動に供した後、銀染色による検出を行った。
【００８３】
この結果を図２の電気泳動写真に示す。同図において、左３レーンは、ＪＥＶ感染培養液について各種抗体（２Ｄ５、６Ｈ４、２Ｈ４）を用いた結果であり、右３レーンは、ＷＮＶ感染培養液について各種抗体（２Ｄ５、６Ｈ４、２Ｈ４）を用いた結果である。矢印は、各ウイルス由来のタンパク質（ＮＳ１）の大きさを示し、ＮＳ１’は、ＮＳ１に加えてＮＳ２Ａ領域も含むタンパク質を示す。
【００８４】
同図に示すように、６Ｈ４がＪＥＶ−ＮＳ１を検出していることから、ＷＮＶ感染培養液について６Ｈ４により検出された抗原はＷＮＶ−ＮＳ１であると考えられる。また、２Ｈ４と６Ｈ４により検出された抗原はほぼ一致し、また、分子量がＮＳ１およびＮＳ１に加えてＮＳ２Ａ領域も含むＮＳ１’の分子量と一致したことから、２Ｈ４がＷＮＶ−ＮＳ１と反応することが確認できた。
【００８５】
（１−３）血清希釈度の決定
効率的にＷＮＶ−ＮＳ１を検出するために、および血清成分によるＷＮＶ−ＮＳ１検出阻害を避けるため、ＷＮＶ−ＮＳ１抗原測定ＥＬＩＳＡに供する血清検体について、その血清希釈度を検討した。ここで、血清希釈度とは、ウェル等に添加する血清検体における血清の希釈度であり、血清（Ｅ）と血清検体全量（Ｆ）との体積比（Ｅ：Ｆ）で表される。本実施例では、血清希釈度は「ウマ血清：（ウマ血清＋感染培養液＋ＥＬＩＳＡ希釈液）」となる。
【００８６】
血清希釈度１：２、１：５および血清なしの各条件で、ＷＮＶ感染培養液由来ＮＳ１の濃度が所定濃度（０、０．０１、０．１、１、１０、１００ｎｇ／ｍｌ）となるようにＥＬＩＳＡ希釈液で希釈して、血清検体を調製し、前述の方法と同様にしてＷＮＶ−ＮＳ１抗原測定ＥＬＩＳＡを行い、吸光度を測定した。
【００８７】
これらの結果を図３に示す。同図は、各血清希釈液におけるＮＳ１抗原濃度と吸光度の関係を示すグラフであり、○は希釈度１:２、▲は希釈度１:５、●は血清無添加の結果を示す。
【００８８】
同図に示すように検体が血清を含む場合（○、▲）、血清成分によりＮＳ１抗原の検出が阻害され、血清無添加の検体（●）と比較して若干低い吸光度であったが、その傾きがほぼ等しいことから、ＷＮＶ−ＮＳ１を特異的に検出しているといえる。また、１：２と１：５の希釈度では大きな差は見られなかったため、血清中の抗原をより効率的に検出するために、希釈度を１：２に決定した。
【００８９】
（１−４）ＷＮＶ−ＮＳ１抗原の検出限界
ＷＮＶ−ＮＳ１抗原測定ＥＬＩＳＡにおいて、検出対象であるＷＮＶ−ＮＳ１抗原の検出限界を検討した。
【００９０】
ＷＮＶ感染培養液とウマ血清とを混合し希釈して、ＷＮＶ−ＮＳ１濃度２ｎｇ／ｍｌおよび５ｎｇ／ｍｌのＷＮＶ感染モデル血清を調製した。一方、ＪＥＶ−ＮＳ１感染培養液とウマ血清とを混合し希釈して、ＪＥＶ−ＮＳ１濃度１００ｎｇ／ｍｌのＪＥＶ感染モデル血清を調製した。そして、これらの感染モデル血清を用いて、前記ＷＮＶ−ＮＳ１抗原測定ＥＬＩＳＡにより吸光度測定を行った。これらの結果を図４に示す。同図は、各検体の吸光度ならびに全検体の平均値を示すグラフであり、■が５ｎｇ／ｍｌ ＷＮＶ−ＮＳ１、◆が２ｎｇ／ｍｌ ＷＮＶ−ＮＳ１、○が１００ｎｇ／ｍｌＪＥＶ−ＮＳ１の結果を示す。
【００９１】
同図に示すように、ＷＮＶ−ＮＳ１濃度２ｎｇ／ｍｌの吸光度（◆）および５ｎｇ／ｍｌの吸光度（■）と、ＪＥＶ−ＮＳ１濃度１００ｎｇ／ｍｌの吸光度（○）との間には有意差（ｐ＜０．００１）が認められた。したがって、本実施例の方法において、ＷＮＶ−ＮＳ１の検出感度は、少なくとも２ｎｇ／ｍｌと推定される。また、この結果から、本実施例の方法によりＷＮＶ−ＮＳ１とＪＥＶ−ＮＳ１との高精度な鑑別が可能であることがわかる。
【００９２】
（２）抗ＷＮＶ−ＮＳ１抗体測定ＥＬＩＳＡの条件検討
（２−１）発現細胞における抗原分泌の確認
抗ＷＮＶ−ＮＳ１抗体測定ＥＬＩＳＡにおいては、前述のように、ウサギ抗ＷＮＶ−ＮＳ１過剰免疫血清を感作（固相化）したマイクロプレートに、ＮＳ１／ＮＳ２Ａ発現細胞（２Ｇ１２細胞）の培養液を反応させた。この２Ｇ１２細胞からのＷＮＶ−ＮＳ１分泌を確かめるために、培養液を２Ｈ４を用いて免疫沈降し、銀染色で検出した。
【００９３】
この結果を図５に示す。同図において、左２レーンは、ＷＮＶ感染細胞培養液を、それぞれ２Ｈ４、６Ｈ４を用いて免疫沈降した結果を示す電気泳動写真であり、右２レーンは、２Ｇ１２細胞培養液を、それぞれ２Ｈ４、６Ｈ４を用いて免疫沈降した結果を示す電気泳動写真である。
【００９４】
同図に示すように、２Ｇ１２細胞培養液のバンドは、ＷＮＶ感染細胞培養液のＮＳ１と同じ位置であることから、２Ｇ１２細胞はＷＮＶ−ＮＳ１を分泌していることが確認できた。
【００９５】
（２−２）ＮＳ１抗原濃度の決定
ウサギ抗ＷＮＶ−ＮＳ１過剰免疫血清を感作した前記マイクロプレートに反応させるＮＳ１抗原について、その至適濃度を決定した。
【００９６】
前記抗ＷＮＶ−ＮＳ１抗体測定ＥＬＩＳＡにおいて、２Ｇ１２細胞培養液をＮＳ１抗原量が所定濃度（０、１０、２０、５０、１００、２００ｎｇ／ｍｌ）となるように変化させ、ＷＮＶ実験感染馬の血清希釈度１：１０と血清なしの条件下での吸光度を比較した。この結果を表２に示す。
【表２】
2008058194.tif 000004
【００９７】
表２に示すように、抗原濃度が１００ｎｇ／ｍｌの条件において、血清（＋）の吸光度が高く、且つ、血清（＋）と血清（−）との吸光度差が大きいことから、使用する抗原濃度は１００ｎｇ／ｍｌに決定した。
【００９８】
（２−３）血清希釈度の決定
抗ＷＮＶ−ＮＳ１抗体測定ＥＬＩＳＡに供する測定対象血清について、その至適血清希釈度を次のように決定した。
【００９９】
前記抗ＷＮＶ−ＮＳ１抗体測定ＥＬＩＳＡにおいて、抗ＷＮＶ−ＮＳ１抗体陽性ウマ血清、および、抗ＪＥＶ−ＮＳ１抗体陽性ウマ血清を用い、それらの血清希釈度（Ｅ：Ｆ）を変化（Ｅ＝１、Ｆ＝２、５、１０、２０、５０、１００、２００、５００、１０００）させ、ＭＡｂ結合阻害％を比較した。
抗ＷＮＶ−ＮＳ１抗体陽性血清によるＭＡｂ結合阻害％と抗ＪＥＶ−ＮＳ１抗体陽性血清によるＭＡｂ結合阻害％の差が大きかった１：２から１：１０までの血清希釈度は、ＭＡｂ結合阻害を詳しく調べるために抗ＷＮＶ−ＮＳ１抗体陽性血清を６回、抗ＪＥＶ−ＮＳ１抗体陽性血清を３５検体測定し、平均値と標準偏差(ＳＤ)を求めた。血清希釈度１：２０から１：１０００では、抗ＷＮＶ−ＮＳ１抗体陽性血清を３回、抗ＪＥＶ−ＮＳ１抗体陽性血清を３検体測定し、平均値と標準偏差を求めた。これらの結果を表３に示す。
【表３】
2008058194.tif 000005
【０１００】
表３に示すように、血清希釈度が１：５の条件において、抗ＷＮＶ−ＮＳ１抗体陽性血清（ＷＮ）と抗ＪＥＶ−ＮＳ１抗体陽性血清（ＪＥ）とのＭＡｂ結合阻害％の差が最も大きいことから、至適血清希釈度は１：５と決定された。
【０１０１】
（２−４）抗ＷＮＶ−ＮＳ１抗体陽性のボーダーライン（基準値）の設定
抗ＷＮＶ−ＮＳ１抗体陽性と判断するためのボーダーラインを決定した。
【０１０２】
ウマ血清として、前述した抗ＷＮＶ−ＮＳ１抗体陰性の１０３検体を使用した（抗ＪＥＶ−ＮＳ１抗体陰性の初乳未摂取馬の血清８検体、日本脳炎ワクチン未接種１歳馬の血清２０検体、日本脳炎ワクチン接種１歳馬の血清２０検体、ＥＬＩＳＡ値０．１２２以下のウマ血清２０検体および抗ＪＥＶ−ＮＳ１抗体陽性の自然感染馬の血清３５検体）。これらの検体について、前述の至適条件下での抗ＷＮＶ−ＮＳ１抗体測定ＥＬＩＳＡを行い、ＭＡｂ結合阻害％を求めた。これらの結果を図６に示す。同図は、ＭＡｂ結合阻害％と、所定のＭＡｂ結合阻害％を示す検体数を示すグラフである。
【０１０３】
初乳未摂取馬の８検体は、血清中のＩｇＧが少ないためにＭＡｂ結合阻害％が低くなっていると考えられ、ボーダーラインを設定する検体として含まないことにした。つまり、計９５検体（抗ＪＥＶ−ＮＳ１抗体陰性の日本脳炎ワクチン未接種１歳馬の血清２０検体、日本脳炎ワクチン接種１歳馬の血清２０検体、ＥＬＩＳＡ値０．１２２以下のウマ血清２０検体、抗ＪＥＶ−ＮＳ１抗体陽性の自然感染馬の血清３５検体）を使用してボーダーラインを設定した。その結果、ＭＡｂ結合阻害％の平均値は８．１７、標準偏差は６．４８であり、平均値＋３ＳＤは２７．６％となり、２７．６％を抗ＷＮＶ−ＮＳ１抗体陽性と判断するボーダーに設定した。
【０１０４】
使用した抗ＷＮＶ−ＮＳ１抗体陰性の９５検体には、抗ＪＥＶ−ＮＳ１抗体陽性および強陽性の検体が含まれるため、ＪＥＶ感染時のＭＡｂ結合阻害％は、ボーダーライン（２７．６％）未満である。したがって、ボーダーライン以上のＭＡｂ結合阻害％は、ＷＮＶ感染による特異的抗ＷＮＶ−ＮＳ１抗体陽性と判断できる。そして、前記９５検体のうち、ボーダーライン未満のＭＡｂ結合阻害％を示した検体は９４検体であり、ボーダーライン以上のＭＡｂ結合阻害％を示した検体は１検体であることから、この抗ＷＮＶ−ＮＳ１抗体測定ＥＬＩＳＡによる特異度は９８．９％、偽陽性率は１．１０％であった。
【０１０５】
（２−５）抗ＷＮＶ−ＮＳ１抗体の検出
ＷＮＶを感染させたＷＮＶ実験感染馬（２検体）について、感染後、所定の期間（０日、４日、７日、１０日、１２日、１４日、１８日、２１日、２５日、２８日、３５日）における血清を採取し、至適条件下、抗ＷＮＶ−ＮＳ１抗体測定ＥＬＩＳＡを行ってＭＡｂ結合阻害％を求めた。これらの結果を表４に示す。
【表４】
2008058194.tif 000006
【０１０６】
表４に示すように、感染後、経時的にＭＡｂ結合阻害％が大きくなり、抗ＷＮＶ−ＮＳ１抗体の増加が確認された。一方のＷＮＶ実験感染馬（♯１）は感染後１２日、他方のＷＮＶ実験感染馬（♯２）は感染後１４日で抗ＷＮＶ−ＮＳ１抗体が陽性となった。
【産業上の利用可能性】
【０１０７】
以上のように、本発明の方法によれば、ＷＮＶ−ＮＳ１を特異的に認識する抗体を用いて、血清中のＷＮＶ−ＮＳ１抗原、または抗ＷＮＶ−ＮＳ１抗体を検出・測定することによって、同じフラビウイルス属であるＪＥＶ感染と区別してＷＮＶ感染を鑑別することができる。前述のように、従来の中和試験等によると、検出結果が陽性であっても、ＷＮＶ陽性であるかＪＥＶ陽性であるかの判別が困難であり、ＪＥＶ感染による偽陽性の割合が多く生じることが予想される。しかし、本発明によれば、ＷＮＶ感染のみを鑑別することができるため、わが国のようにＪＥＶが常在する場合でもＷＮＶ感染の高精度の鑑別が可能であり、急性期と回復期それぞれにおけるＷＮＶ感染の診断や、ＷＮＶ侵入後のＷＮＶ浸潤状況の監視も可能となる。本発明の鑑別方法は、ＷＮＶの侵入の有無に関する疫学調査に利用でき、その他検査・臨床分野において非常に有用な方法といえる。
【図面の簡単な説明】
【０１０８】
【図１】本発明の実施例において、各種モノクローナル抗体の希釈度とＥＬＩＳＡにおける吸光度との関係を示すグラフである。
【図２】本発明の実施例において、各種モノクローナル抗体とＮＳ１との免疫沈降の結果を示す電気泳動写真である。
【図３】本発明の実施例において、ＮＳ１抗原濃度とＥＬＩＳＡにおける吸光度との関係を示すグラフである。
【図４】本発明の実施例において、検体のＥＬＩＳＡにおける吸光度とその平均値を示すグラフである。
【図５】本発明の実施例において、各種モノクローナル抗体とＮＳ１との免疫沈降の結果を示す電気泳動写真である。
【図６】本発明の実施例において、ＭＡｂ結合阻害％と検体の分布を示すグラフである。
【図１】
2008058194.tif 000007
【図３】
2008058194.tif 000008
【図４】
2008058194.tif 000009
【図６】
2008058194.tif 000010
【図２】
2008058194.tif 000011
【図５】
2008058194.tif 000012